(57)【要約】【課題】遠方まで投げることができる遠投性、水中に進入した後の拡散性、水中での長時間の漂遊性、魚を寄せ集める集魚性に優れた魚釣りの撒餌用配合エサを実現する。【解決手段】粒径が  ０．１〜０．５ｍｍの乾燥おからと、粒径が０．５〜３ｍｍの乾燥おからとを、それらの総重量に対してそれぞれ１０〜９０重量％および１０〜９０重量％の範囲で混合し、これと粉砕された押し麦・菓子粉・アオノリなどのおから以外の材料とを、それらの総重量に対してそれぞれ３０〜９０重量％および１０〜７０重量％の範囲で混合する。【選択図】        なし【特許請求の範囲】
【請求項１】
粒径が  ０．１〜０．５ｍｍの第１の乾燥おからと粒径が０．５〜３ｍｍの第２の乾燥おからの混合割合が、それらの総重量に対してそれぞれ１０〜９０重量％および１０〜９０重量％の範囲にあるおから材料と、前記第１および第２の乾燥おから以外の非おから材料との混合割合が、それらの総重量に対してそれぞれ３０〜９０重量％および１０〜７０重量％の範囲にあることを特徴とする魚釣りの撒餌用配合エサ。
【発明の詳細な説明】
【０００１】
【発明の属する技術分野】
本発明は魚釣りの撒餌用配合エサに関する。具体的には、磯や防波堤での海釣りにおいて用いられる、魚を寄せるための撒餌用の配合エサであって、遠方まで投げて撒くことができる遠投性、水中に進入した後の拡散性、水中での漂遊性、および魚を寄せ集める集魚性に優れた魚釣りの撒餌用配合エサを提供せんとするものである。
【０００２】
【従来の技術】
磯や防波堤での釣りの対象魚として、スズキ目に属するメジナ（東海・関西・四国地方では「グレ」と呼ばれる。）を例にとると、このメジナは、潮の通る岩礁帯にすみ、付けエサに食い付いて釣りバリにかかったときの引きが強いことから、釣り人の間では人気が高い。とくに、メジナが多く生息する西日本では、年間を通してメジナ釣りが盛んである。
【０００３】
このようなメジナの釣りを目的とする場合、その釣り果を左右するうえで欠くことができないのは、釣り糸を垂らす前に、メジナを寄せるための撒餌（釣り人の間では、「コマセ」・「寄せエサ」と呼ばれる。）を、適宜の範囲に撒いて水中に拡散することである。
【０００４】
ここにおける撒餌の材料には、冷凍オキアミを解凍してほぐしたものと、粉砕された押し麦・菓子粉・アオノリ・乾燥おからなど（以下「配合エサ」という。）が、従来より用いられている。そして、磯などにおいて釣り人が撒餌として使用する場合は、バッカンと呼ばれる撒餌用の容器の中に、オキアミ（例えば９ｋｇ）と配合エサ  （例えば１．８ｋｇ）とを収容して撹拌混合し、これに適量の海水を混入撹拌して流動体状にする。この流動体状のものが撒餌となる。
【０００５】
撒餌の方法は、バッカンに収容された、流動体状の撒餌をひしゃくですくい、これを適宜の範囲の水面に撒いて水中に拡散させる。これにより、メジナは、撒餌の匂いや味におびき寄せられて、磯や防波堤の水際に集まってくることになる。
【０００６】
そこで、釣り人は、撒餌が拡散している水中の部分の中に、所要の仕掛けを施した釣り糸を垂らし、小エビやイワシの切り身などの付けエサが付けられた釣りバリに、メジナが食い付くのを待つことになる。その際、撒餌は、必要に応じて繰り返し行う。なお、メジナ釣りには、ウキを使用し、ウキから下方の水中の仕掛けは、釣り糸をたるませて潮流の動きに合わせる「フカセ釣り」と呼ばれる方法が用いられる。
【０００７】
【発明が解決しようとする課題】
しかしながら、従来より使用されている撒餌用の配合エサは、解凍されたオキアミと混合し、これに海水を加えて混ぜると、粘着性が高く、用いられている材料相互間の結着性が強い。したがって、釣り人が、バッカンからひしゃくですくって投擲した場合、空中でばらけることなく遠投することは可能である。
【０００８】
しかし、結着性が強いために、投擲された撒餌が、水面に到達し水中に進入しても、拡散する範囲が狭小である。すなわち、水中での拡散性に乏しく、大部分は団塊状のまま海底に向けて沈下してしまう。
【０００９】
ところが、メジナには、その占位している位置よりは上方に漂遊している餌を摂食し、下方に沈下していく餌は摂食しない習性がある。したがって、撒餌が団塊状のまま沈下してしまうと、岩礁帯を住み家とするメジナを、岩礁帯より上方におびき出すという撒餌の目的を果たせないことになる。
【００１０】
撒餌によりメジナを岩礁帯より上方におびき出せなければ、メジナが釣れる水深が深くなってしまう。水深が深くなれば、付けエサに食い付いて釣り針にかかったメジナは、たやすく住み家である岩礁帯に逃げ込むことができ、バラシの原因となってしまう。
【００１１】
このように、従来より使用されている撒餌用の配合エサには、水中での拡散性が乏しいために、水中での漂遊性に欠け、メジナを岩礁帯より上方におびき寄せるという集魚効果が充分に発揮されないという解決すべき課題があった。
【００１２】
【課題を解決するための手段】
そこで、上記課題に照らし、本発明はなされたものである。そのために、本願発明者は、釣り人が撒餌を投擲した場合に、空中ではばらけずに遠方に投げることができる遠投性を確保する一方で、水中に進入した後は広範囲に散る拡散性を有する撒餌用の配合エサを実現すべく考究した結果、つぎのような解決手段を案出した。
【００１３】
すなわち、粒径が０．１〜０．５ｍｍの乾燥おからと、粒径が０．５〜３ｍｍ  の乾燥おからとを、それらの総重量に対してそれぞれ１０〜９０重量％および１０〜９０重量％の範囲で混合し、これと粉砕された押し麦・菓子粉・アオノリなどのおから以外の材料とを、それらの総重量に対してそれぞれ３０〜９０重量％および１０〜７０重量％の範囲で混ぜ合わして、撒餌用の配合エサとするようにした。
【００１４】
【発明の実施の形態】
本発明の実施の形態について、以下説明する。本発明による撒餌用配合エサは、従来より使用されている配合エサと同様、その材料として、粉砕された押し麦・菓子粉・アオノリ・乾燥おからなどが用いられている。しかし、本発明による撒餌用配合エサの特徴は、用いる乾燥おからとして、粒径が異なるものを混合していることにある。
【００１５】
これを詳しく説明すると、従来より使用されている配合エサにおける乾燥おからの粒径は、すべて０．５〜３ｍｍ  （５〜３０メッシュ）である。これに対して、本発明による配合エサにおける乾燥おからは、粒径が０．５〜３ｍｍのものと、粒径が０．１〜０．５ｍｍ（３０〜１５０メッシュ）のものとを混合している。ここにおける粒径が０．１〜０．５ｍｍの乾燥おからは、豆腐殻（おから）乾燥装置により粉末化された乾燥おからを、さらに、スピード・ミル（高速度粉砕機）により所定時間粉砕して微粒子化したものである。
【００１６】
ここで、豆腐の製造過程で産出される生おからの乾燥は、例えば、図１（一部を切欠いた斜視図）に示す豆腐殻乾燥装置により行われる（特許第３１８２６２７号公報参照）。  この豆腐殻乾燥装置は、基台２１上に横設され、内部に多数のセラミックス製の小径のボール１１を収容した円筒状の中空室２２内に、豆腐殻と熱風とを供給して豆腐殻を乾燥する。豆腐殻の供給は、ホッパ２８内に収容された豆腐殻を、ロータリ・フィーダ２７の作動により豆腐殻供給路２５を介して中空室２２内に連続落下させることにより行う。また、熱風は、中空室２２の底部付近に連通した熱風供給路２４を介して、中空室２２内に供給される。供給された豆腐殻は、中空室２２および上部中空室２３内において乾燥され、粉末状となって取出口２６より排出される。粉末状の乾燥おからの粒径は、０．５〜３ｍｍ  である。
【００１７】
この装置による場合、作動時に、多数のセラミックス製のボール１１が、熱風により飛ばされて中空室２２内を縦横無尽に飛び交い、中空室２２の内壁一帯への衝突を繰り返す。その結果、粘着性を有する生おからが、中空室２２の内壁にこびり付いて焦げ付くことがない、すなわち、焦げ臭のない粉末状の乾燥おからが得られる。焦げ臭がないことは、撒餌の材料として用いるのに適している。
【００１８】
このようにして得られた、粒径が０．５〜３ｍｍ  の粉末状の乾燥おからは、既述のように、スピード・ミルにより微粒子化して、粒径を０．１〜０．５ｍｍとする。そして、本発明では、粒径が０．１〜０．５ｍｍの乾燥おから（以下「乾燥おからＡ」という。）と、粒径が０．５〜３ｍｍ  の乾燥おから（以下「乾燥おからＢ」という。）とを混合する。両者の混合割合は、それらの総重量に対して乾燥おからＡが１０〜９０重量％、乾燥おからＢが１０〜９０重量％の範囲とする。
【００１９】
そこで、所定の混合割合で混合された各乾燥おからＡ，Ｂ（以下「おから材料」という。）と、従来より配合エサの材料として使用されている、粉砕された押し麦・菓子粉・アオノリなど（以下「非おから材料」という。）とを混合して、撒餌用の配合エサとする。その場合、おから材料と非おから材料との混合割合は、それらの総重量に対しておから材料が３０〜９０重量％、非おから材料が１０〜７０重量％の範囲が好ましいとの実験結果を得ている。
【００２０】
本願発明者が行った実験によると、上記のように構成された配合エサと、解凍されたオキアミとを混合したうえで、海水を混入撹拌した撒餌を、磯などにおいて投擲した場合、空中でばらけることなく遠方に投げることができる。
【００２１】
また、図２（ａ）に示すように、水面ＳＷに到達し水中に進入した撒餌ＧＢは、ウキ３１に繋がれたハリス３２先端の釣りバリの付けエサ３３の位置よりは上方の水深Ｄ１が３０ｃｍ以内のところで拡散を開始する。その後、撒餌ＧＢは、潮流に乗り、かつ、沈下しながら拡散し続け、図２（ｂ）に示すように、水深Ｄ２が約４．５〜６ｍ  付近で充分に拡散し、長時間にわたって漂遊する。撒餌ＧＢが充分に拡散して長時間漂遊すれば、岩礁帯を住み家とするメジナは、岩礁帯より上方におびき寄せられる。すなわち、集魚効果という撒餌ＧＢの目的を達成することができることになる。
【００２２】
本願発明者が釣り上げたメジナを開腹して胃袋内の収容物を検査したところ、メジナは大量のおからを摂食していた。このことは、乾燥おからが有する吸着性により、オキアミなどに含まれるアミノ酸を、バッカン内で撹拌混合するときに乾燥おからが吸着し、これにより撒餌ＧＢの集魚効果が高められていることを示すものである。
【００２３】
このように、豆腐殻乾燥装置により粉末化された乾燥おからを微粒子化し、これを撒餌用の配合エサの材料として用いるならば、乾燥おからが水分を含んだときの粘着性により、撒餌を投擲したときの材料相互間の結着性が確保される。すなわち、撒餌をばらけることなく遠方に投げることができる。
【００２４】
これに対して、投擲された撒餌が、水面に到達して水中に進入すると、材料相互間の結着性は急速に失われる。その結果、撒餌は広範囲に拡散し、長時間にわたって水中で漂遊して、優れた集魚効果を発揮することになる。
【００２５】
以上においては、釣りの対象魚としてメジナを例に挙げて説明した。しかし、本発明による配合エサを用いた撒餌が有効な対象魚は、メジナに限定されるものではない。撒餌を必要とするその他の魚に対しても、本発明による撒餌用配合エサは、集魚効果を有するものである。
【００２６】
【発明の効果】
以上の説明から明らかなように、本発明によるならば、乾燥おからが有する、水分を含んだときの粘着性により、オキアミ・押し麦・アオノリなどの撒餌用配合エサの材料相互間の結着性を確保して、撒餌を遠方まで投げて撒くことができる遠投性を得ることができる。
【００２７】
他方、投擲された撒餌が水中に進入した後は、広範囲に拡散する拡散性を有する結果、水中で長時間漂遊する漂遊性を得ることが可能となる。このことは、魚を寄せ集める集魚効果という撒餌本来の目的を果たすだけでなく、漂遊の持続性により、釣り人にとっては、撒餌を投擲する回数を少なくすることができる。すなわち、事前に用意すべき撒餌材料の量が、より少なくてすみ、必要な材料を磯などまで持ち運ぶ際の負担および費用上の負担を軽減するという利点もある。したがって、本発明によりもたらされる効果は、実用上極めて大きい。
【図面の簡単な説明】
【図１】本発明による撒餌用配合エサの材料である乾燥おからを生成する豆腐殻乾燥装置の、一部を切欠いた斜視図である。
【図２】本発明による配合エサを用いた撒餌が、水中で拡散する様子を説明するための説明図である。
【符号の説明】
１１  ボール
２１  基台
２２  中空室
２３  上部品中空室
２４  熱風供給路
２５  豆腐殻供給路
２６  取出口
２７  ロータリ・フィーダ
２８  ホッパ
３１  ウキ
３２  ハリス
３３  付けエサ
ＧＢ  撒餌
ＳＷ  水面
【図１】
2005013089.tif 000002
【図２】
2005013089.tif 000003